(57)【要約】【課題】本発明は発光時間比で階調を作る表示方法を用いた駆動方法と表示装置に関するものであり、前フィールドから漏れ込む残光量を現フィールドのデータから差し引いたデータが０以下になってしまう場合においても、残光量を０若しくは０に近づけることが出来る残光除去方法を目的とする。【解決手段】現フィールドから次フィールドに漏れ込む残光量を０若しくは０に近づけるように現フィールドのデータを加工する。【選択図】  図１
2004191728.tif 000002
【特許請求の範囲】
【請求項１】
発光時間比で階調を作る表示装置の表示方法において、動画時の視線の動きに合わせて表示データをシフトさせる表示方法を使用した場合において、現フィールドから次フィールドに漏れ込む残光量を０若しくは０に近づけるように現フィールドのデータを加工する表示方法。
【請求項２】
請求項１に記載の表示方法を実現するための、現フィールドの表示データを加工する手段を備えた表示装置。
【発明の詳細な説明】
【０００１】
【発明の属する技術分野】
本発明は、発光時間比で階調を作る表示方法を用いた表示装置駆動方法とその表示装置に関するものであり、特に、大画面・薄型のディスプレイ装置として知られているプラズマディスプレイ装置とその駆動方法に関するものである。
【０００２】
【従来の技術】
プラズマディスプレイ装置における残光対策の従来例としては、現フィールドの映像信号のデータから、前フィールドから漏れ込む残光量（例えば、プラズマ発光による残光量）を差し引いたデータを、現フィールドの表示データとする方法がある。（例えば、特許文献１参照）。以下に図５を用いて従来例の説明を、図６を用いて従来例の問題点を示す。
【０００３】
例えば、図５（ａ）、図６（ａ）は、表示画面を表しており、階調０から階調２５５までの２５６階調を表現できるものである。図5（ａ）に示すように、灰色（例えば、第１２７階調）の背景に白帯（第２５５階調）が右スクロールする場合、図５（ｂ）に示すように本来の視認輝度分布５００に対し残光５０１が発生する。従来例においては残光５０１の量を予測し、「残光５０１の量＝削除分５０２の量」である削除分５０２を背景から削除し、そこに残光５０１が埋まるようにすることで残光を除去している。
【０００４】
しかし従来例では、図６に示すように背景が黒（０階調）である場合、発生する残光６０１に相当する、削除分６０２を黒（０階調）からは差し引くことが出来ないため、残光を除去することが出来ない。つまり、前フィールドから現フィールドで洩れ込む残光量を現フィールドの表示データから引いた値が０以下になってしまう場合、残光を消しきることが出来ないという問題を抱えており、残光は背景が暗いほど目立つので、つまりは酷い残光になればなるほど、除去することが出来ないということになる。
【０００５】
これはＡＣ型のプラズマディスプレイのように発光時間比で階調を作る表示方式においても同様である。発光時間比で階調を作る表示方法に関して、図７を用いて簡単に説明する。
【０００６】
階調が０から２５５までの２５６階調を表現できるプラズマディスプレイ装置であり、アドレス期間やリセット期間を無視して、更にサブフィールドの構成やサブフィールドの重み付けも無視して、単純に「発光時間∝視認輝度」であるプラズマディスプレイ装置であるとして説明する。図７（ａ）のように黒（第０階調）の背景上に０〜２５５の階調を９ステップに刻んだパターンを表示するとき、発光の時間分布は図７（ｂ）のようになり、視認輝度分布は図７（ｃ）のようになる。つまり「点灯時間７００：点灯時間７０１＝視認輝度７０２：視認輝度７０３」という関係が成り立つ。
【０００７】
また、発光時間比で階調を作る表示方式において、動画時の視線の動きに合わせて表示データをシフトさせる表示方法に関しては様々な方法があるが（例えば、特許文献２、特許文献３参照）、いずれも残光に関する対策にはならない。
【０００８】
【特許文献１】
特開２００１−２５５８６３号公報
【特許文献２】
特開平１０−１６１５８５号公報
【特許文献３】
特開２０００−５６７２８号公報
【０００９】
【発明が解決しようとする課題】
本発明は発光時間比で階調を作る方法を用いた表示駆動方法とその表示装置に関するものであり、特にプラズマディスプレイ装置に関するものであり、従来の技術では解消できない、現フィールドの信号のデータから、前フィールドから漏れ込む残光量を差し引いたデータが０以下になってしまう場合においても、残光量を０若しくは、０に近づけることが出来る残光除去方法を目的とするものであり、また動画時の視線の動きに合わせて表示データをシフトさせる表示方法を用いた場合においても、残光量を０若しくは、０に近づけることが出来る残光除去方法を目的とするものである。
【００１０】
【課題を解決するための手段】
本願発明は、現フィールドから時間的に続く次フィールドに漏れ込む残光量を０若しくは０に近づけるように、現フィールドのデータを加工することを特徴とする表示方法とその方法を使った表示装置である。
【００１１】
また本願発明は、発光時間比で階調を作る表示方式において、動画時の視線の動きに合わせて表示データをシフトさせる表示方法を使用した場合において、現フィールドから次フィールドに漏れ込む残光量を０若しくは０に近づけるように現フィールドの信号のデータを加工することを特徴とする表示方法である。
【００１２】
また本発明は、現フィールドの表示データを加工する機能を備えた表示装置であることを特徴とする。
【００１３】
【発明の実施の形態】
本発明の第１の実施の形態における残光対策を施す表示方法について図１、図２および図８を用いて説明する。説明は完全ＰＷＭ型のプラズマ表示装置において、８ｂｉｔ（２５６階調）の映像データを扱い、背景黒（０階調）上を白帯（２５５階調）が右スクロールする場合に発生する残光を例にするが、本発明はこれに限定されるものでない。
【００１４】
図８（ａ）は、表示装置の表示画面であり、黒背景上を白帯が右スクロールする場合、発光の時間分布は図８（ｂ）のようになる。第ｎフィールド本来の発光時間分布８００に対し、第（ｎ−１）フィールドで発光していた部分に残光８０１がｎフィールドに入っても残っている。白帯が右スクロールしその動きを目線が追うとした場合、目線の動きは時間軸上では８０２となる。８０２上の発光時間分布を積分した値が、図８（ｃ）の視認輝度の画素分布となり、残光を考慮しない場合の視認輝度分布８０３に対して、残光分の視認輝度分布８０４が存在しているのがわかる。この残光の視認輝度分布８０４を削除するために、図１（ｂ）に示すように、白帯のうち次フィールドで黒に変わる画素の消灯位置をフィールド終了位置ではなく、消灯位置１０５にすることで残光１０１が次フィールドに洩れ込むことを防いでいる。
【００１５】
このときの視認輝度分布をみると、図８（ｃ）に示すように対策前の残光分布８０４に対し、対策後の残光輝度分布１０４は、残光を考慮しない場合の輝度分布１０３を丁度埋めるようになっていることがわかる。但し副作用として暗部１０６が現れるがこれは図２に示すように、暗部１０６が埋まるように発光時間を延長するようにすればよい。発光時間分布調整２００がそれにあたる。
【００１６】
（実施の形態２）
本発明の第２の実施の形態における、発光時間比で階調を作る表示方式において、動画時の視線の動きに合わせて表示データをシフトさせる表示方法を用いた場合の残光対策表示方法について図３、図８、図９を用いて説明する。
【００１７】
図８（ａ）に示すように黒背景上を白帯が右スクロールする場合、目線の動きを考慮せずに発光すると、発光の時間分布は図８（ｂ）の発光時間分布８００となり、見え方は図８（ｃ）の視認輝度分布８０３となり白帯の両端がボケる。ここで図９（ｂ）のように目線の動き９０２に合わせて発光時間分布９００のように発光時間分布を変えると、見え方は図９（ｃ）の視認輝度分布９０３となり、白帯の両端はボケない。しかし図９（ｂ）に示すように残光９０４は存在しており、見え方は図９（ｃ）に示すように残光９０４が見えることとなり、ボケ解消の効果が薄くなる。
【００１８】
この残光９０４に関しては、図３（ｂ）に示すように、次フィールドで白から黒に変わる部分の発光時間分布３００を調整して、視認輝度分布３０３に残光部３０４が食い込むようにした上で、副作用の暗部３０５には調整発光３０６を加えることで埋めるようにすれば、残光は０若しくは０に近づけることが出来る。
【００１９】
（実施の形態３）
本発明の第３の実施の形態における、残光対策回路を含んだプラズマ表示装置に関して、図４を持って説明する。図４（ａ）は残光処理部４００を他の信号処理４０１と並列に入れたもの、図４（ｂ）は他の信号処理４０１の後段に入れたもの、図４（ｃ）は他の信号処理部４０１に含めたもの、となりいずれの場合も残光のない表示が可能となる。
【００２０】
以上の説明は、白帯の左側に現れる残光、つまり蛍光体の立下り特性に起因して現れる残光についてのみに触れたが、実際は白帯の右側に蛍光体の立ち上がり特性に起因して現れる鈍り（ボケ）が存在する。これに関しては点灯のタイミングを逆に早めることで同様に対処でき、目線対応処理をした場合は発光時間分布の調整で同様に対処出来る。
【００２１】
【発明の効果】
以上の説明から明らかなように、本発明によるプラズマディスプレイ装置によれば、どのような表示データに対しても残光を除去することが可能であり、また視線の動きに対応した表示方法をとった場合においても、その効果は有効でありシャープで美しい表示を行うことができる。
【図面の簡単な説明】
【図１】本発明の第一の実施の形態による残光除去方法を説明するための図
【図２】本発明第一の実施の形態による残光除去方法の副作用への対策を説明するための図
【図３】本発明の第一の実施の形態による残光除去方法を説明するための図
【図４】本発明第三の実施の形態であって残光除去装置を含んだ表示装置の構成を示す図
【図５】従来の残光除去方法を説明するための図
【図６】従来の残光除去方法の問題点を説明するための図
【図７】時分割式の階調表現の説明を説明するための図
【図８】時分割式の階調表現で現れる残光の説明を説明するための図
【図９】時分割式の階調表現と視線対応駆動で現れる残光の説明を説明するための図
【符号の説明】
１０１  消灯位置をずらしたときの残光
１０３  残光を考慮しない場合の視認輝度分布
１０４  残光対策後の残光部の視認輝度分布
１０５  残光対策のための消灯位置
１０６  残光対策の副作用で現れた暗部
２００  暗部対策のための発光時間分布調整個所
３００  目線動きに対応した発光時間分布
３０１  目線動きに対応した発光時間分布にしたときの残光時間分布
３０３  目線動きに対応した発光時間分布にしたときの白帯視認輝度分布
３０４  目線動きに対応した発光時間分布にしたときの残光視認輝度分布
３０５  残光対策の副作用で現れた暗部
３０６  暗部対策のための発光時間分布調整個所
４００  残光処理部
４０１  その他の各種信号処理部
５００  従来例の視認輝度分布
５０１  従来例の残光
５０２  従来例の残光対策部
６０１  従来例の残光対策が施せない残光
６０２  従来例の残光対策が施せない０以下の発光
７００  発光時間比階調制御での点灯時間
７０１  発光時間比階調制御での点灯時間
７０２  発光時間比階調制御での視認輝度
７０３  発光時間比階調制御での視認輝度
８００  白帯本来の発光時間分布
８０１  残光対策を施さない場合の残光時間分布
８０２  白帯を追うときの目線動きの時間軌跡
８０３  白帯本来の視認輝度分布
８０４  残光対策を施さない場合の残光の視認輝度分布
９００  目線動きに対応した白帯の発光時間分布
９０１  目線動きに対応し残光対策を施さない場合の残光時間分布
９０２  白帯を追うときの目線動きの時間軌跡
９０３  目線動きに対応した白帯の視認輝度分布
９０４  目線動きに対応し残光対策を施さない場合の残光の視認輝度分布
【図１】
2004191728.tif 000003
【図２】
2004191728.tif 000004
【図３】
2004191728.tif 000005
【図４】
2004191728.tif 000006
【図５】
2004191728.tif 000007
【図６】
2004191728.tif 000008
【図７】
2004191728.tif 000009
【図８】
2004191728.tif 000010
【図９】
2004191728.tif 000011